(57)【要約】【課題】ウオータポンプ等の冷却装置をあまり大型化することなく、エンジンの温度管理を効率的に行うエンジン冷却装置を構成する。【解決手段】エンジンＥの駆動力が動力断続機構１２を介して伝えられる第１ポンプＰ１の作動によりエンジンＥの内部で冷却水を第１方向Ｆ１に送る第１流路Ｒ１を備え、電動型の第２ポンプＰ２の作動によりエンジンＥの内部で冷却水を第１方向とは逆方向となる第２方向に送る第２流路Ｒ２を備えている。第２ポンプＰ２の作動時には第２流路Ｒ２の冷却水の一部をエンジンＥに供給しつつ、冷却水の残余を第１流路Ｒ１に供給するように第２流路Ｒ２と第１流路Ｒ１とが接続されている。【選択図】図１
2014231824.tif 000002
【特許請求の範囲】
【請求項１】
電動型の動力断続機構を有し、エンジンの駆動力が前記動力断続機構を介して伝えられる第１ポンプと、
前記第１ポンプの作動により前記エンジンの内部で第１方向に沿って前記エンジンを冷却する冷却水の流れを許容する第１流路と、
電動型の第２ポンプと、
冷却水の熱を取り出す熱交換部と、
前記第２ポンプの作動により前記エンジンの内部で前記第１方向と異なる方向となる第２方向に沿って冷却水の流れを許容する第２流路と、
冷却水が設定温度より低い場合には前記第１流路内の冷却水の流れを遮断し、冷却水が前記設定温度を超える場合には前記第１流路内の冷却水の流れを許容するサーモスタットと、
冷却水の温度に基づき、前記第１ポンプの前記動力断続機構及び前記第２ポンプを制御する電子制御ユニットとを備え、
前記第１ポンプは前記第１流路上に設けられ、前記第２ポンプおよび前記熱交換部は前記第２流路上に設けられ、冷却水の残余が前記第１流路に供給されるように前記第２流路と前記第１流路とが接続されるエンジン冷却装置。
【請求項２】
前記エンジンが、シリンダブロック側開口部と、シリンダヘッド側開口部とを備えており、前記第１ポンプの作動時には前記シリンダブロック側開口部から前記エンジンの内部に冷却水が送り込まれ、前記シリンダヘッド側開口部から冷却水が送り出されるように前記第１方向が設定されている請求項１記載のエンジン冷却装置。
【請求項３】
冷却水の温度を検出する温度センサを備え、前記温度センサによって検出される温度が設定値未満である場合には、前記電子制御ユニットが、前記第１ポンプと前記第２ポンプとを停止し、
前記温度センサによって検出される温度が設定値を超えた場合には、前記電子制御ユニットが、前記第１ポンプを停止し、前記第２ポンプを作動し、
前記温度センサによって検出される温度が設定値を超えた状態であり且つ前記エンジンの出力が所定値より大きい場合には、前記電子制御ユニットが、前記第１ポンプを作動させ、前記第２ポンプを停止する請求項１又は２記載のエンジン冷却装置。
【発明の詳細な説明】
【技術分野】
【０００１】
本発明は、エンジン冷却装置に関し、詳しくは、冷却水によってエンジンの温度管理を行う技術に関する。
【背景技術】
【０００２】
上記のように構成されたエンジン冷却装置として特許文献１には、エンジンのカムシャフトとともに回転する第１ウォータポンプにより、エンジンの冷却水をラジエータに供給する構成が示されている。この特許文献１には、ラジエータから第１ウォータポンプに冷却水が戻る経路中にサーモスタットを備え、このサーモスタットと第１ウォータポンプとを結ぶ経路の冷却水をヒータに送り、このヒータからラジエータに送る電動型の第２ウォータポンプを備えた構成が示されている。
【０００３】
また、特許文献２には、エンジンのクランク軸に対してクラッチを介して連結する機械式ウォータポンプにより、エンジンの冷却水をラジエータに供給する構成が示されている。この特許文献２には、エンジンからラジエータに冷却水を送る経路にサーモスタットを備え、ラジエータからエンジンに冷却水を戻す経路に電動ウォータポンプを備えた構成が示されている。
【０００４】
また、特許文献３には、エンジンの駆動力が電磁クラッチ等により結合又は切断される主冷却水ポンプと、電動型の冷却水ポンプとを備えた構成が示されている。主冷却水ポンプは、ラジエータから戻る冷却水をエンジンに送る経路に備えられ、この経路にはサーモスタット（文献では第２の制御ユニット）が介装されている。なお、特許文献３には第２の制御ユニットが電気式混合弁であっても良いことも示されている。
【０００５】
この特許文献３では、エンジンから送り出された冷却水は、暖房回路と冷房回路とに分流して送られる。暖房回路には乗員熱交換器と、前述した冷却水ポンプとが備えられ、この冷却水ポンプは主冷却水ポンプの吸引側に冷却水を送るように構成されている。また、冷却回路に送られる冷却水はサーモスタットを介してラジエータに送られると共に、このサーモスタットから分岐するバイパス回路から主冷却水ポンプの吸引側に供給されるように構成されている。
【先行技術文献】
【特許文献】
【０００６】
【特許文献１】特開２０００‐１７９３３９号公報
【特許文献２】特開２００４‐２９３４３０号公報
【特許文献３】特表２００６‐５２８２９７号公報
【発明の概要】
【発明が解決しようとする課題】
【０００７】
特許文献１に示される第１ウォータポンプは、エンジンの稼動時に常に作動する構成であるため、冷却水が常に流れることになり、早期暖機を実現できないものである。これに対して特許文献２に記載されるようにクラッチを介して駆動されるポンプを備える構成では、クラッチを遮断する制御により早期の暖機の実現が可能である。
【０００８】
ただし、ラジエータとエンジンとの間で冷却水を循環させる流路には比較的大径のラジエータホースが用いられる。従って、特許文献２に示されるようにラジエータとエンジンとの間の流路に電動ポンプを備える構成では、電動ポンプの吸入部と吐出部との開口径がラジエータホースに対応して大径化する必要がある。このような理由から、ポンプハウジングが大型化し、電動ポンプの大径化を招くものであった。また、電動ポンプの配置を考えると、エンジンに対するラジエータホースとラジエータとの相対的な位置関係を大きく変更できないため、ラジエータとエンジンとの間に電動ポンプを配置するための空間の確保が困難になるものであった。
【０００９】
また、特許文献３に示される構成では、乗員熱交換器で熱を得るために電動型の冷却水ポンプを駆動した場合には、冷却水がバイパス回路に多く流れてしまい、エンジンからの冷却水を乗員熱交換器に供給できないことも考えられ、改善の余地があった。
【００１０】
エンジンは、出力に比例した熱を発生するため、出力に対応した冷却水を必要とする。しかしながら、同じエンジン回転速度であっても、スロットル開度によって吸入空気量は様々に変化するのでエンジン出力も様々に変化することになる。エンジン回転速度に同期する、いわゆるメカニカルウォータポンプでは冷却水の供給がエンジン出力に拘わらず、エンジン回転速度が一定となるため、エンジンの冷却不足又は過剰となってしまう運転領域が多い。一方、電動ポンプは、冷却水の供給量の調節がエンジン回転速度によらず可能であるため、エンジンの温度を高精度で管理するには電動ポンプによってエンジンの冷却を行わせることが望ましい。しかしながら、夏期の高温の環境において登坂路を走行するようにエンジンの出力が大きく、かつ高温となる場合には、これに対応する多量の冷却水の供給を必要とする。多量の冷却水の供給を実現する電動ポンプは、エンジンが高出力化するほど大型化するため、搭載性やコストが現実的でなくなる。この理由から高出力エンジン向けに、小型かつ適正なコストで冷却水の供給調整のできる冷却構成が望まれている。
【００１１】
本発明の目的は、エンジンに流れる冷却水の制御によりエンジン温度を適正に管理できるエンジン冷却装置を合理的に構成する点にある。
【課題を解決するための手段】
【００１２】
本発明の特徴は、電動型の動力断続機構を有し、エンジンの駆動力が前記動力断続機構を介して伝えられる第１ポンプと、前記第１ポンプの作動により前記エンジンの内部で第１方向に沿って前記エンジンを冷却する冷却水の流れを許容する第１流路と、電動型の第２ポンプと、冷却水の熱を取り出す熱交換部と、前記第２ポンプの作動により前記エンジンの内部で前記第１方向と異なる方向となる第２方向に沿って冷却水の流れを許容する第２流路と、冷却水が設定温度より低い場合には前記第１流路内の冷却水の流れを遮断し、冷却水が前記設定温度を超える場合には前記第１流路内の冷却水の流れを許容するサーモスタットと、冷却水の温度に基づき、前記第１ポンプの前記動力断続機構及び前記第２ポンプを制御する電子制御ユニットとを備え、前記第１ポンプは前記第１流路上に設けられ、前記第２ポンプおよび前記熱交換部は前記第２流路上に設けられ、冷却水の残余が前記第１流路に供給されるように前記第２流路と前記第１流路とが接続される点にある。
【００１３】
この構成によると、冷却水が低温状態にある場合には、サーモスタットが遮断状態にあるため、第１流路での冷却水の流れを阻止して暖機が促進される。冷却水の温度が上昇してサーモスタットが冷却水の流れを許容する状態に移行した後には、第１ポンプと第２ポンプとの何れにも冷却水の循環が可能となる。また、第１流路はエンジンを通過した冷却水が循環する構成であるため、単純に循環させるだけでも冷却水の冷却が可能である。従って、サーモスタットが冷却水の流れを許容する状態において、第２ポンプを作動させた場合には、第２流路の冷却水がエンジンと第１流路とに供給され、第１流路で冷却された冷却水をエンジンの内部に供給してエンジンの冷却を行える。
【００１４】
第２流路は、冷却水の冷却を積極的に行うための第１流路と比較して単位時間あたりに流れる冷却水の量が少なく、第１流路に使用されるホース類と比較すると、この第２流路に使用されるホース類の内径が小さい。また、第２流路として、例えば、乗用車の暖房を行うヒータに対してホースにより冷却水を供給するものを想定すると、第２ポンプにホースを引き込むことも可能となり第２配置スペースを容易に確保できる。このような理由から、第２流路の第２ポンプの小型化が可能となり、この第２ポンプの配置の自由度も高まる。
【００１５】
また、第２ポンプを作動した場合には、エンジンの内部には第１ポンプを作動した場合とは異なる方向（逆の方向も含む）に冷却水が送られるが、第１流路には、第１ポンプを作動させた場合と同じ方向に冷却水を流すことが可能である。これにより、第２ポンプを作動させた場合には、第１ポンプＰ１を作動させた場合と同じ方向に冷却水を流して冷却水の冷却を行える。
更に、エンジンが低出力で稼動する状況では、冷却水の循環量が少なくて済むため、小型の電動型の第２ポンプを用いることが可能となる。第２ポンプは制御により冷却水の流量を調節できるため、例えば、エンジンの温度に応じて冷却水の循環量を精密に調節することによりエンジンを稼動に適した温度に維持して燃費を向上させ、排気ガスに含まれる有害成分の低減も可能となる。
【００１６】
第１ポンプは、動力断続機構を接続する操作によりエンジンの強力な駆動力を用いて作動させることが可能である。これにより、エンジンが高出力で稼動する状況では第１ポンプを作動させることでエンジンの確実な冷却が可能となり、小型の第２ポンプを用いる必要がない。
【００１７】
このように、エンジンからの駆動力が動力断続機構により断続されるポンプと、電動型のポンプとを用いることにより、エンジンに流れる冷却水を制御してエンジン温度を適正に管理でき、搭載性も良く、コストアップの少ないエンジン冷却装置が構成できる。
【００１８】
本発明は、前記エンジンが、シリンダブロック側開口部と、シリンダヘッド側開口部とを備えており、前記第１ポンプの作動時には前記シリンダブロック側開口部から前記エンジンの内部に冷却水が送り込まれ、前記シリンダヘッド側開口部から冷却水が送り出されるように前記第１方向が設定されても良い。
【００１９】
これによると、第１ポンプを作動した場合には、冷却水をシリンダブロック側開口部からエンジンの内部に送り込み、エンジンで加熱された冷却水をシリンダヘッド側開口部からエンジンの外部に送り出し、この冷却水を第１流路で冷却することが可能となる。また、第２ポンプを作動させた場合には、冷却水をシリンダヘッド側開口部からエンジンの内部に送り込み、シリンダブロック側開口部からエンジンの外部に送り出す。つまり、第２ポンプを作動させた場合には、冷却水が、エンジンで最も高温となるシリンダヘッド側を冷却した後に、これより低温となるシリンダブロック側に流れるため、シリンダを過剰に冷却することがなく、過剰な冷却に伴うオイルの粘性の増大を抑制して円滑な作動を実現する。
【００２０】
本発明は、冷却水の温度を検出する温度センサを備え、前記温度センサによって検出される温度が設定値未満である場合には、前記電子制御ユニットが、前記第１ポンプと前記第２ポンプとを停止し、前記温度センサによって検出される温度が設定値を超えた場合には、前記電子制御ユニットが、前記第１ポンプを停止し、前記第２ポンプを作動し、前記温度センサによって検出される温度が設定値を超えた状態であり且つ前記エンジンの出力が所定値より大きい場合には、前記電子制御ユニットが、前記第１ポンプを作動させ、前記第２ポンプを停止しても良い。
【００２１】
これによると、温度センサで検出される温度が設定値未満である場合には電子制御ユニットが第１ポンプと第２ポンプとを停止するように指令することで暖機制御が行われる。この暖機制御では、第１流路と第２流路との何れにも冷却水を循環させず、エンジンの温度の迅速な上昇を実現する。なお、サーモスタットが冷却水の流れを遮断する状態から流れを許容する状態に切り換わる設定温度を、暖機が完了する温度に設定する必要はないが、エンジンの始動時には冷却水の流れを阻止する状態にあるため、エンジンの暖機時間の短縮を確実に行う。
次に、温度センサで検出される温度が設定値を超えた場合には、電子制御ユニットが第１ポンプを停止し第２ポンプのみを作動させるように指令することで冷却水をエンジンの内部に供給して低流量制御による精密な冷却が可能となる。更に、温度センサで検出される温度が設定値を超えた状態でエンジンが高出力運転時であることを判定した場合には、電子制御ユニットが第１ポンプを作動させ、第２ポンプを停止させるように指令することでエンジンの駆動力を用いた強力な冷却が実現しエンジンが適温に維持される。
【図面の簡単な説明】
【００２２】
【図１】エンジン冷却装置の構成を示すブロック図である。
【図２】低流量制御での冷却水の流れを示すブロック図である。
【図３】高流量制御での冷却水の流れを示すブロック図である。
【図４】エンジン温管理ルーチンのフローチャートである。
【発明を実施するための形態】
【００２３】
以下、本発明の実施形態を図面に基づいて説明する。
〔基本構成〕
図１に示すように、第１ポンプＰ１の作動によりエンジンＥの冷却水を第１方向Ｆ１に循環させる冷却用の第１流路Ｒ１と、第２ポンプＰ２の作動によりエンジンＥの冷却水を第２方向Ｆ２に循環させる熱交換用の第２流路Ｒ２とを備えてエンジン冷却装置が構成されている。
【００２４】
このエンジン冷却装置は、乗用車等の車両のエンジンＥに備えられるものである。エンジンＥは、シリンダブロックＥｂの上部にシリンダヘッドＥｈを連結し、シリンダブロックＥｂからシリンダヘッドＥｈに亘る領域にウォータジャケットを形成した構造を有している。このエンジンＥでは、シリンダ下部位置の（シリンダブロックＥｂの）ウォータジャケットに連通するシリンダブロック側開口部１が形成され、シリンダ上部位置の（シリンダヘッドＥｈの）ウォータジャケットに連通するシリンダヘッド側開口部２が形成されている。
【００２５】
本発明のエンジン冷却装置では、エンジンＥの冷却水の温度を検出する温度センサＳをシリンダヘッド側開口部２の近傍位置に備え、この温度センサＳの検出結果に基づいて第１ポンプＰ１と第２ポンプＰ２との作動を制御する電子制御ユニット（ＥＣＵ）１０を備えている。温度センサＳは冷却水の水温からエンジンＥの温度を計測するものであり、この温度センサＳはエンジンＥの外壁や、エンジンＥの内部に備えられるものであっても良い。
【００２６】
第１ポンプＰ１は、エンジンＥのクランクシャフトあるいはカムシャフトからの駆動力が伝動機構１１を介して伝えられる電動型の動力断続機構としての電磁クラッチ１２を介して伝えられるように構成されている。第１流路Ｒ１には、エンジンＥから送り出される冷却水を冷却するラジエータ１３と、冷却水の温度により開閉作動するサーモスタット１４とを備えている。尚、動力断続機構は、電磁クラッチ１２に限るものでなく、例えば、エンジンＥの駆動力により常時回転する回転部材と、この回転部材の外周面に接触する位置と離間する位置とに電気的に切換られる中間部材とを有し、この中間部材が回転部材の外周に接触した際にエンジンＥの駆動力で中間部材を回転させるように構成されたものでも良い。また、動力断続機構として、ベルト作用する張力のを電気的に調節することにより伝動状態と、動力を遮断するベルトテンション式のものでも良い。
【００２７】
サーモスタット１４は、バネの付勢力により冷却水の流れを遮断する弁体と、冷却水の水温の上昇に伴いワックスが膨張することによりバネの付勢力に抗して弁体を開放する弁操作部とを備えた一般的な構成を有している。これにより、冷却水の水温が所定値未満である場合には、サーモスタット１４はラジエータ１３から第１ポンプＰ１と第２ポンプＰ２とに対する冷却水の流れを遮断するように閉じ状態を維持する。そして、水温が所定値を超えた場合に、冷却水の流れを許容するように開放状態に切り換わる。
【００２８】
第１流路Ｒ１は、シリンダヘッド側開口部２から冷却水をラジエータ１３に送り出す第１送水路３と、ラジエータ１３からの冷却水を、サーモスタット１４を介してシリンダブロック側開口部１に戻す第１還元水路４とを備えている。
【００２９】
第２ポンプＰ２は、ブラシレス直流モータや同期モータ等の電動モータ１５の駆動により作動するように（電動型に）構成されている。第２流路Ｒ２には、冷却水から熱を取り出し、車内の暖房を行うヒータ１６（熱交換部の一例）を備えて構成されている。この第２ポンプＰ２は第１ポンプＰ１と比較して冷却水を送る能力の小さいものが使用されている。
【００３０】
この第２流路Ｒ２は、ヒータ１６からの冷却水をシリンダヘッド側開口部２に送る第２送水路５と、エンジンＥのシリンダブロック側開口部１からの冷却水を、サーモスタット１４を介してヒータ１６に戻す第２還元水路６とを備えている。
【００３１】
第１ポンプＰ１と、第２ポンプＰ２とは、例えば、ハウジング内において複数のインペラが回転して冷却水を送る遠心型の構成のものが想定されている。このような構成では第１ポンプＰ１と、第２ポンプＰ２との何れも複数のインペラ同士の間に間隙が形成され、インペラとハウジングとの間にも間隙がある。従って、停止時には、これらの間隙に冷却水を流せることになる。
【００３２】
このエンジン冷却装置では、第１流路Ｒ１の第１送水路３のうちシリンダヘッド側開口部２に接続する領域と、第２流路Ｒ２の第２送水路５のうちシリンダヘッド側開口部２に接続する領域とが共通する水路として構成されている。これと同様に、第１流路Ｒ１の第１還元水路４のうちシリンダブロック側開口部１に接続する領域と、第２流路の第２還元水路６のうちシリンダブロック側開口部１に接続する領域とが共通する水路として構成され、この共通する水路部分に前述した第１ポンプＰ１とサーモスタット１４とが介装されている。
【００３３】
つまり、第２ポンプＰ２の作動時には第２流路Ｒ２の第２送水路５に流れる冷却水の一部をエンジンＥのシリンダヘッド側開口部２に供給しつつ、この冷却水の残余を第１流路Ｒ１の第１送水路３に供給するように、第２流路Ｒ２の第２送水路５と第１流路Ｒ１の第１送水路３とが接続している。この構成は、第１ポンプＰ１の作動時にはエンジンＥのシリンダヘッド側開口部２から排出された冷却水の一部を第１流路Ｒ１の第１送水路３に供給すると共に、冷却水の残余を第２流路Ｒ２の第２送水路５に供給する。
【００３４】
尚、第２ポンプＰ２を、第２方向Ｆ２においてヒータ１６より下流側となる第２送水路５に備えても良い。
【００３５】
〔制御構成〕
電子制御ユニット１０は、マイクロプロセッサ等を備えることにより、予め設定されたプログラムに従って制御を行うＥＣＵとして構成されている。この電子制御ユニット１０は、温度センサＳの検出結果を取得し、エンジン回転速度と吸入空気量との情報を取得する入力ポートを備えている。また、この電子制御ユニット１０は、第１ポンプＰ１の電磁クラッチ１２と、第２ポンプＰ２の電動モータ１５とに制御信号を出力する出力ポートを備えている。つまり、エンジンＥの回転速度と吸入空気量の情報とを取得するために、回転速度センサやスロットル開度センサ等を備えており、これらで取得した情報が電子制御ユニット１０に出力される。
【００３６】
この電子制御ユニット１０では、温度センサＳの検出結果に基づいて、暖機制御と、低流量制御と、高流量制御との何れかの制御を行う。
【００３７】
前述したサーモスタット１４は、暖機制御が継続する状況においても冷却水の水温が所定値を超えた場合に開放するように構成されている。
【００３８】
〔制御形態〕
本発明のエンジン冷却装置では、エンジンＥを始動した直後には第１ポンプＰ１と、第２ポンプＰ２とを停止状態に設定する。また、エンジンＥを始動した後には、これらの停止状態を維持することにより暖機制御に移行し、エンジンＥの温度上昇に伴い低流量制御と、高流量制御との何れかを実行するように電子制御ユニット１０の制御形態が設定されている。この制御形態の概要を図４のフローチャートに示しており、これを以下に説明する。
【００３９】
つまり、電子制御ユニット１０は、エンジンＥが始動した後には温度センサＳの検出信号を取得し、検出値が設定値未満である場合には第１ポンプＰ１と第２ポンプＰ２とが停止状態に維持されるように第１ポンプＰ１及び第２ポンプＰ２に指令する（＃０１〜＃０３ステップ）。
【００４０】
この制御では、第１ポンプＰ１の電磁クラッチ１２を切り（遮断）状態に維持し、第２ポンプＰ２の電動モータ１５に電力を供給しない状態を維持する。これによりエンジンＥに対する冷却水の出入りがなく、暖機が促進される。
【００４１】
このように第１ポンプＰ１と第２ポンプＰ２とを停止状態に維持する制御が暖機制御である。
【００４２】
この暖機制御が行われることにより、温度センサＳで検出される温度が上昇し、設定値を超えた場合には、電子制御ユニット１０が、エンジン回転速度と吸入空気量とに関する情報を取得し、エンジンＥが低出力状態であることを判定した場合には、第１ポンプＰ１が停止されたまま、第２ポンプＰ２が作動するように第１ポンプＰ１及び第２ポンプＰ２に指令する（＃０４〜＃０６ステップ）。
【００４３】
この制御が低流量制御であり、この低流量制御では図２に示すように、第２ポンプＰ２の電動モータ１５の作動で第２送水路５に送り出された冷却水の一部がエンジンＥのシリンダヘッド側開口部２からエンジンＥの内部に供給され、冷却水の残余が第１送水路３に供給される。
【００４４】
このように、冷却水はエンジンＥと第１送水路３とに分岐して流れるため、エンジンＥの内部に流れた冷却水の水温は上昇するが、ラジエータ１３に流れた冷却水の水温は低下する。次に、水温が異なる冷却水が第２還元水路６において混じり合う形態で循環するため、冷却水の水温の上昇を抑制して良好にエンジンＥの冷却が実現するのである。
【００４５】
特に、低流量制御が行われる際には、温度センサＳで検出される水温が上昇するほど、第２ポンプＰ２の回転速度を高速化する制御が行われる。この制御が行われることにより、エンジンＥを稼動に適した温度に維持して燃費を向上させ、排気ガスに含まれる有害成分の低減も可能となる。
【００４６】
また、シリンダヘッド側開口部２からエンジンＥの内部に供給された冷却水は、ウォータジャケットを上部から下部に送られ、エンジンＥのシリンダブロック側開口部１からエンジンＥの外部に送り出され、第１ポンプＰ１とサーモスタット１４とを通過して第２流路Ｒ２（第２還元水路６）に戻される。また、第２送水路５から第１送水路３に供給された冷却水は、ラジエータ１３で冷却され、更に、第１還元水路４から、サーモスタット１４を通過して第２還元水路６に流れることでエンジンＥの内部を送られた冷却水と混じり合って第２ポンプＰ２に達するのである。
【００４７】
更に、エンジンＥのシリンダヘッド側開口部２からエンジンＥの内部に送られる冷却水が、エンジンＥの最も高温となるシリンダヘッドＥｈの部分を冷却した後に、シリンダブロックＥｂの方向に流れるため、エンジンＥの全体をバランス良く冷却して、シリンダブロックＥｂの過剰な冷却を防ぐことができる。なお、シリンダブロック側開口部１からエンジンＥの内部に冷却水を供給した場合には、シリンダブロックＥｂ部分を過剰に冷却するため、シリンダブロックＥｂとピストンとの間のオイルの粘性が増大し、潤滑性を悪化させることになるが、シリンダヘッド側開口部２からエンジンＥの内部に冷却水を供給することにより、シリンダブロックＥｂとピストンとの間の潤滑性を高めて円滑な作動を行わせ、燃費性能の向上を可能にする。
【００４８】
次に、温度センサＳで検出される温度が設定値を超えた状態で、電子制御ユニット１０は、取得したエンジン回転速度と吸入空気量とに関する情報から、エンジンＥが高出力状態であることを判定した場合には、第２ポンプＰ２が停止され、第１ポンプＰ１が作動されるように、第１ポンプＰ１及び第２ポンプＰ２に指令する（＃０４、＃０５、＃０７ステップ）。
【００４９】
この制御が高流量制御であり、この高流量制御では図３に示すように、電磁クラッチ１２の入り（接続）制御により第１ポンプＰ１を作動させることによりエンジンＥのシリンダブロック側開口部１からエンジンＥの内部に冷却水が供給される。このように供給された冷却水は、エンジンＥのウォータジャケットを下部から上部に送られ、エンジンＥのシリンダヘッド側開口部２からエンジンＥの外部に送り出され、この冷却水の一部は第１送水路３に供給され、冷却水の残余は第２送水路５に供給される。
【００５０】
これにより、第１送水路３に供給された冷却水はラジエータ１３で冷却され、第１還元水路４からサーモスタット１４を介して第１ポンプＰ１に戻される。また、第２送水路５に供給された冷却水はヒータ１６と、第２ポンプＰ２とを通過して第２還元水路６に流れ、サーモスタット１４を介して第１ポンプＰ１に戻される。
【００５１】
つまり、この高流量制御は、夏期の高温の環境において登坂路を走行する場合のようにエンジンＥに大きい出力が必要で、且つ高温となる状況を想定しており、この高流量制御を実行することにより、冷却水が第２流路Ｒ２にも流れることになるが、第２ポンプＰ２と比較して大容量の第１ポンプＰ１を作動させることにより、多量の冷却水を第１流路Ｒ１のラジエータ１３に供給することによりエンジンＥのオーバーヒートを抑制するのである。
【００５２】
〔実施形態の作用・効果〕
前述したように、このエンジン冷却装置では暖機制御時には、第１ポンプＰ１と第２ポンプＰ２とが停止する構成であるため、冷却水を循環させる構成として特許文献２（特開２００４‐２９３４３０号公報）や特許文献３（特表２００６‐５２８２９７号公報）に記載されるバイパス流路を形成しなくて済み、装置の簡素化が可能となる。また、バイパス流路が省略されると、第１送水路３と、第１還元水路４との短縮が可能となり、これらの内部の冷却水を少なくできるため、第２ポンプＰ２の作動を開始した場合には、サーモスタット１４に対して低温の多量の冷却水が流れる不都合がなく、例えば、サーモスタットが閉じ状態と開放状態とを短時間のうちに繰り返すハンチングが抑制される。
【００５３】
特に、本発明では、エンジンＥの駆動力で作動する第１ポンプＰ１を備え、エンジンＥが高出力で稼動する場合に、第１ポンプＰ１を作動させることでエンジンＥに充分な量の冷却水を供給して適正に冷却できるように構成している。これにより、第２ポンプＰ２で多量の冷却水を供給する必要はなく、第２ポンプＰ２の小型化を実現している。また、この第２ポンプＰ２はヒータ１６に冷却水を送るホースに介装できるため、この第２ポンプＰ２を容易に配置でき、結果として冷却装置全体の小型化を実現している。
【００５４】
例えば、Ｖ６やＶ８といった多気筒の高出力のエンジンＥを搭載した乗用車では、エンジンＥを高出力で運転する状況は少なく、低出力での運転が常用となる。この常用時には第２ポンプＰ２で精密な温度制御ができるので燃費を向上でき、また頻度としては少ないが、エンジン高出力時には第１ポンプＰ１で確実に冷却し、エンジンＥの信頼性を確保できる。
【産業上の利用可能性】
【００５５】
本発明は、冷却水によってエンジンの冷却を行うエンジン冷却装置に利用することができる。
【符号の説明】
【００５６】
１          シリンダブロック側開口部
２          シリンダヘッド側開口部
１０        電子制御ユニット（ＥＣＵ）
１２        動力断続機構（電磁クラッチ）
１４        サーモスタット
１６        熱交換部・ヒータ
Ｅ          エンジン
Ｆ１        第１方向
Ｆ２        第２方向
Ｐ１        第１ポンプ
Ｐ２        第２ポンプ
Ｒ１        第１流路
Ｒ２        第２流路
Ｓ          温度センサ
【図１】
2014231824.tif 000003
【図２】
2014231824.tif 000004
【図３】
2014231824.tif 000005
【図４】
2014231824.tif 000006